(57)【要約】本発明は、電子メール・システムに係る。電子メール・システムは、インターネットの世界で電子メール・サービスに接続する機器を有する装置を有する。装置は、光ディスク用のドライブを有し、ドライブは、かかる光ディスクの書込み／読取りの機能を有する。ディスクは、メール及びその保存記録を有し得る。インターネットに接続していない多種の装置でメールを管理することが可能である。
2006521615.tif 000002
【特許請求の範囲】
【請求項１】
電子メール・システムであって、
電子メール・サービスに接続される機器を有する装置を少なくとも有し、
前記装置は、
取外し可能なデータ格納手段を受容するレセプタクルと、
前記格納手段を読み取り及び／又は書き込む、書込み／読取り手段と、
メール・サービスに接続する接続手段と、
メールを管理するメール管理手段と、
を有し、
前記システムは、取外し可能なデータ格納手段を更に有する、
メール・システム。
【請求項２】
前記メールの内容の少なくとも一部分を前記取外し可能なデータ格納手段に格納するメール手段を有する、請求項１記載のメール・システム。
【請求項３】
前記メールを前記取外し可能なデータ格納手段のファイルに保存する保存手段を有する、請求項１又は２のいずれか一項記載のメール・システム。
【請求項４】
前記取外し可能なデータ格納手段は光ディスクを有する、請求項１乃至３のうちいずれか一項記載のメール・システム。
【請求項５】
前記メール・サーバは、インターネット等のネットワークを介してアクセス可能である、請求項１乃至４のうちいずれか一項記載のメール・システム。
【請求項６】
電子メールに適切な装置であって、
電子メール・サービスに接続された装置と、
取外し可能なデータ格納手段を受容するレセプタクルと、
前記格納手段を読み取り及び／又は書き込む書込み／読取り手段と、
メール・サービスに接続する接続手段と、
メールを管理するメール管理手段と、
を有する装置。
【請求項７】
請求項１乃至６のうちいずれか一項記載の装置に適切である、メールに関連するデータを格納する取外し可能なデータ格納手段。
【請求項８】
請求項１乃至６のうちいずれか一項記載の装置に適切である、メールの前記ファイリングに関連するデータを格納する取外し可能なデータ格納手段。
【請求項９】
請求項１乃至５のうちいずれか一項記載の装置に適切である、メール及び前記ファイリング・メールに関連ずるデータを格納する取外し可能なデータ格納手段。
【請求項１０】
前記メールを管理する前記装置を構成するファイルを有する、請求項７又は８のいずれか一項に記載の取外し可能なデータ格納手段。
【請求項１１】
請求項１乃至５のうちいずれか一項記載のシステムと、請求項９記載の取外し可能なデータ格納手段とに適切な装置であって、
前記構成ファイルを起動することによってメールを管理する前記装置を構成する構成手段を有する、
装置。
【請求項１２】
メールを管理するメール管理手段は、前記メールを管理する表示手段を有する、請求項１乃至５のうちいずれか一項記載のメール・システム。
【請求項１３】
メールを管理するメール管理手段は、前記メールを管理する音響手段を有する、請求項１乃至５のうちいずれか一項記載のメール・システム。
【請求項１４】
メールを管理する方法であって、
第１の装置を使用する段階と、取外し可能なデータ格納手段を挿入する段階と、を有し、
前記第１の装置を使用する段階は、
取外し可能なデータ格納手段のレセプタクルと、
前記格納手段を読み取り及び／又は書き込む、書込み／読取り手段と、
メール・サービスに接続する接続手段と、
前記取外し可能なデータ格納手段によって処理されるメールを管理するメール管理手段と、
を有し、
前記取外し可能なデータ格納手段を挿入する段階は、
メール・サーバに接続する段階と、
前記取外し可能な格納手段に前記メールの前記内容の少なくとも一部を格納する段階と、
他の又は同一の装置を続いて使用するよう、前記取外し可能な格納手段を取り外す段階と、
を有する、
方法。
【発明の詳細な説明】
【技術分野】
【０００１】
本発明は、電子メール・サービスに接続される機器を有する装置を少なくとも有する電子メール・システムに係る。
【背景技術】
【０００２】
かかる装置には多くの用途があり、特には、電子メールを使用して関係を維持したいとするユーザに使用される。
【０００３】
かかる装置は、特開２００２−７３４９３号公報（特許文献１）に開示される。かかる既知の装置は、電子メール機能を有する音楽再生機に係る。
【特許文献１】特開２００２−７３４９３号公報
【発明の開示】
【発明が解決しようとする課題】
【０００４】
本発明は、複雑なメール装置を使用せずにメールを処理することに利点を有する上述した種類のシステムを提案することを目的とする。
【課題を解決するための手段】
【０００５】
本発明に従った電子メール・システムは、電子メール・サービスに接続される機器を有する装置を少なくとも有する。かかる装置は、取外し可能なデータ格納手段を受容するレセプタクルと、かかる格納手段を読み取り及び書き込む書込み／読取り手段と、メール・サービスへの接続をする接続手段と、メールを管理するメール管理手段とを有する。かかるシステムは更に、取外し可能なデータ格納手段を有する。
【０００６】
取外し可能な格納手段は、メール管理機能を少なくとも有する。かかる手段は、メールが、同一の種類ではない装置を用いて多種の場所で処理することを可能とする。接続手段は、かかる他の装置では割愛されてもよい。ユーザは、自分のメールの読取り、及び、書込み、又は記録を行なうことができ、適切な装置を使用して別のときに送られる。
【０００７】
本発明はまた、かかるメール・システムに適切な装置、及びシステムに適切な取外し可能なデータ格納手段を提案する。
【発明を実施するための最良の形態】
【０００８】
本発明のこれらの及び他の面は、非制限的な例を用いて、以下に説明される実施例を参照し、明らかに、また、説明される。
【０００９】
図１は、装置１を有するメール・システムを図示する。装置には、特には光ディスクである取外し可能なデータ担体が置かれ得る。望ましい実施例では、かかる光ディスクは、ＳＦＦＯディスク（Small  Form  Factor  Optical  disc、小型光ディスク）である。かかる装置は、ウェブ・ネットワーク１０への接続の手段を有する。かかる接続は、ウェブ１０へアクセスするのに必要である、インターネット・アクセス・サービス１５までの電話線等のリンク１２を与えられる。メール・サーバ１８は、ユーザのメールを処理する目的で接続され得る。本例では、装置は、ケーブル２２によって接続される一般のテレビジョン受像機２０と協働する。遠隔制御機器２５は、装置１の制御を実行する。装置１は、電子メール・サービスに接続を与える種類である。専用コマンドが、かかる接続に与えられる。かかるコマンドは、永久コマンドによって作られ得るか、又は、取外し可能なデータ担体５に含まれるコマンド・ファイルによってプログラムされる。かかるファイルの場所は、参照符号２９で示される。コマンド・ファイルは装置がそれを認識する際に起動し、遠隔コマンド２５のボタンのうちの１つは、「この電子メールを送信する」という機能に対して設けられるようにされる。装置は、ＤＶＤレコーダ機能等の、メール処理以外の機能を有し得る。
【００１０】
図２は、装置１の構造を図示する。装置は、マイクロプロセッサ・ユニット４０から形成され、データ用メモリ、プログラム・ライン用メモリ等の通常の構成要素を与えられる。かかるユニット４０は、装置の中核であり、装置の全ての仕組みを処理する。参照符号４２は、光ディスクを有する取外し可能なデータ格納手段用のドライブを示す。このドライブ４２は、光ディスクにレセプタクルを与える。装置は、ケーブル２２を介したテレビジョン受像機２０への接続用のディスプレイ回路４４と、メール・サーバ１８へのアクセスを与えるインターネット・アクセス・サービス１５への接続用のモデム装置４６と、遠隔制御装置２５からコマンドを受信する赤外線インターフェイス回路５０と、である複数のインターフェイス回路を有する。
【００１１】
図３は、本発明の他の実施例を図示し、装置は、音声ダイアログを可能にする他のインターフェイス回路を有する。テレビジョン受像機は、ラウドスピーカ６０に置き換えられる。遠隔制御装置は必要とされない。ユーザの音声は、装置にコマンドを与えるよう十分である。マイクロフォン６２は、これらの音声コマンドを受けるよう与えられる。従って、イターフェイス回路４４は音声合成装置４４’によって置き換えられ、インターフェイス回路５０は音声合成装置５０’によって置き換えられる。
【００１２】
装置の操作は以下の通りである。
【００１３】
光ディスクがドライブ４２に挿入されるとき、コマンド・ファイル２９が読み取られ、ユーザは、遠隔制御のボタン、又は装置上のボタンのうちの１つを押すことによって自分のメールにアクセスできるようにされる。メールの内容は、テレビジョン受像機２０の画面に表示され、光ディスクに格納される。
【００１４】
本発明の手段は、ディスク上に電子メールを準備することが可能なようにする。かかる電子メールは、格納手段がインターネットに接続された装置に置かれたとき、送信されるのみである。これによる利点は、ユーザが格納媒体の処理ができるいかなる装置上でも電子メールにアクセスできることである。ユーザは、容易に自分の電子メールをファイルし、安全な場所に格納媒体を置くことによって光格納の用途として電子メール（ファイリング）を開くことができるようになる。インターネットの接続を有さない装置は、また、保存された電子メールを読み取り、電子メールがあとで送信されるようにしておくよう、使用され得る。
【００１５】
このように、取外し可能な格納は、必要な連絡情報（電子メール・サーバのパスワードの場所）を有する。
【００１６】
本発明の範囲は、メール・サーバに接続できないが取外し可能な格納手段でメールを読み取り及び書き込む可能性を有する装置に及ぶため、インターネットから一時的に切断され得（移動中の場合等）、後ほど接続され得る。
【図面の簡単な説明】
【００１７】
【図１】本発明に従った電子メール・システムを図示する。
【図２】図１に示されたシステムの構造を図示する。
【図３】本発明に従った電子システムの他の実施例を図示する。
【図１】
2006521615.tif 000003
【図２】
2006521615.tif 000004
【図３】
2006521615.tif 000005
【国際調査報告】
2006521615.tif 000006
2006521615.tif 000007
2006521615.tif 000008